(57)【特許請求の範囲】
【請求項１】
携帯可能な飲料用の容器を手動で開閉するために該容器と共に使用される、磁気的に飲料容器の蓋を封止する装置であって、
前記容器と封止的に係合可能な本体であって、第１および第２の固定磁石を備え、液体が前記容器の内部と周囲の環境の間を出入りできるように開設されている開口を有し、前記開口は前記第１の固定磁石の近傍にあり、前記第２の固定磁石は前記開口から離隔した位置にある本体と、
本体の中の前記第１または第２の固定磁石に磁気的に引付けられる金属製のボールであって、前記ボールが前記開口を封止する本体上の第１の位置と、前記ボールが前記第１の位置から離隔して前記開口を開封する本体上の第２の位置との間を前記本体の一部に沿って手動で回転、および／または摺動して移動可能であるボールと、を有し、
前記第１の固定磁石が本体上の第１の位置に設けられ、前記第２の固定磁石が本体上の第２の位置に設けられ、
前記１の固定磁石が前記ボールを前記第１の位置に保持したまま前記開口を封止するとともに、前記第２の固定磁石が前記ボールを前記第２の位置に保持したまま前記開口を開封して容器内の液体を流出可能とすることを特徴とする、装置。
【請求項２】
前記本体が、前記第１の位置で前記ボールを保持するために、前記開口を取り囲むように形成した窪みを備えることを特徴とする、請求項１に記載の装置。
【請求項３】
前記本体が、前記第２の位置で前記ボールを保持するための窪みを備えることを特徴とする、請求項１に記載の装置。
【請求項４】
前記本体が、前記第１の位置で前記ボールを保持するために、前記開口を取り囲むように形成した第１の窪みと、前記ボールの少なくとも前記第２の位置の方向への移動を促進するように形成した第２の窪みと、を備えることを特徴とする、請求項１に記載の装置。
【請求項５】
前記本体が、前記第１の位置で前記ボールを保持するために、前記開口を取り囲むように形成した第１の窪みと、前記ボールの少なくとも前記第２の位置の方向への移動を促進するように形成した第２の窪みと、を備え、細長い窪みの形状を呈する前記第２の窪みが、前記第１の位置での前記ボールの位置と前記第２の位置での前記ボールの位置の間に少なくとも部分的に延在することを特徴とする、請求項１に記載の装置。
【請求項６】
前記本体が、前記ボールを前記第１の位置と前記第２の位置の間を少なくとも部分的に回転させるのを促進する細長い窪みを備えることを特徴とする、請求項１に記載の装置。
【請求項７】
携帯可能な飲料用の容器を手動で開閉するために該容器と共に使用される、磁気的に飲料容器の蓋を封止する装置であって、
前記容器と封止的に係合可能な本体であって、第１および第２の固定磁石を備え、液体が前記容器の内部と周囲の環境の間を出入りできるように開設されている開口を有し、前記第１の固定磁石は前記開口の周囲を少なくとも部分的に取り囲み、前記第２の固定磁石は前記開口部から離隔した位置にある本体と、
本体の中の前記第１または第２の固定磁石に磁気的に引付けられる金属製のボールであって、前記ボールが前記開口を封止する本体上の第１の位置と、前記ボールが前記第１の位置から離隔して前記開口を開封する本体上の第２の位置に選択的に位置決め可能であるボールと、を有し、
前記ボールが第１の位置と第２の位置の間を少なくとも前記本体の一部に沿って回転可能であり、
前記第１の固定磁石が前記ボールを前記第１の位置に保持し、前記第２の固定磁石が前記ボールを前記第２の位置に保持することを特徴とする、装置。
【請求項８】
前記第１の固定磁石が、前記開口の周囲を全体的に取り囲むことを特徴とする、請求項１または７に記載の装置。
【請求項９】
前記ボールが球形である、請求項１または７に記載の装置。
【請求項１０】
前記本体または前記ボールのうち少なくとも１つはその外側がシリコンで被覆されていることを特徴とする、請求項１または７に記載の装置。
【請求項１１】
前記本体が、前記ボールを前記第１の位置と前記第２の位置の間で回転させるのを促進するための細長い窪みを備え、前記細長い窪みの少なくとも一つの壁が、前記細長い窪みの基部の上に、その間を前記ボールが行き来できるよう十分に離れて突出しており、前記壁は前記ボールが前記装置からはずれることを防止することを特徴とする、請求項１または７に記載の装置。
【請求項１２】
前記本体が、前記ボールを前記第１の位置と前記第２の位置の間を回転させるのを促進する細長い窪みを備え、前記細長い窪みの一対の壁が、前記細長い窪みの基部の上に、その間を前記ボールが行き来できるよう十分に離れて突出しており、前記突出する壁の末端部の間の隙間は、使用者が前記ボールに触れて前記第１の位置と第２の位置の間を移動させることできるだけの十分な幅があり、前記壁は前記ボールが前記装置からはずれることを防止することを特徴とする、請求項１または７に記載の装置。
【請求項１３】
携帯可能で、液体を保持するように適合されている内部を有する本体と、
容器と封止的に係合可能な蓋であって、第１および第２の固定磁石を備え、液体が前記容器の前記内部と周囲の環境の間を出入りできるように開設されている開口を有し、前記開口は前記第１の固定磁石の近傍に形成してあり、前記第２の固定磁石は前記開口部から離隔位置にある蓋と、
前記蓋の中の第１または第２の固定磁石に磁気的に引付けられる金属製のボールであって、前記ボールが前記開口を封止する蓋上の第１の位置と、前記ボールが前記第１の位置から離隔して前記開口を開封する蓋上の第２の位置に選択的に位置決め可能であるボールと、を有し、
前記ボールが第１の位置と第２の位置の間を少なくとも前記蓋の一部に沿って、選択的に回転可能であり、
前記前記第１の固定磁石が前記ボールを前記第１の位置に保持したまま前記開口を封止し、
前記第２の固定磁石が前記ボールを前記第２の位置に保持したまま前記開口を開封して容器内の液体を流出可能とすることを特徴とする、容器。
【発明の詳細な説明】
【技術分野】
【０００１】
本発明は、一般に、容器の蓋に関し、より具体的には、例えば携帯可能なコーヒー用のマグカップの蓋などの飲料容器を封止する装置および容器に関する。
【背景技術】
【０００２】
現代の生活様式は、特に都市社会ではますます移動性の高いものになっている。
個人は、財政的地位、婚姻状態、性別、および配偶者の有無に関わらず、出掛ける事が多数ある。
この様な個人は、通常、時間に窮しているため、活動、用事、および趣味に向かう途中、および／または、活動、用事、および／または趣味に参加している間に、通常、ある仕事を実施・達成する。
この傾向は、このような生活スタイルに適合するように設計された製品へとつながっている。
【０００３】
現代人が、活動への移動中、または活動の最中に実施・達成する仕事の種類の一例は、移動体通信である。その他の種類は、再補充可能で消費可能なものである。
例えば、車内、仕事中に、スポーツや他の活動中に携帯可能な容器の中の飲み物を飲んだり、食べ物を食べたりすることである。
特に、コーヒー、茶、スポーツドリンクなどの飲み物は、移動中に消費されることが多い。使用者の動作中または飲料容器を取り扱う、および／または、操作が限られてしまう従来の陶磁器のマグカップ或いはガラスコップなどの飲料容器が適当でない場合、個人は例えば、乗り物の中、会合中、スポーツ活動中、または他のいかなる場所で飲み物を消費できるように、持ち歩き可能な飲み物を買ったり、作ったりすることが多々ある。
【０００４】
既存の解決法には、開口を有するプラスチック製の蓋を伴う廃棄可能なカップが含まれる。しかし、これらのコップは、環境汚染につながり、コップの中身を十分に保持しない。
例えば、通常、もし使用者が、カップが充填されているときにカップを落とす、または飲んでいる間に乱暴にカップを扱った場合には、プラスチックの蓋は、一般的に構造上中身を保持できないので、結局こぼれてしまうことになる。
他の解決法は、開口を有する封止可能な蓋を伴う再利用可能なカップを含み、それらは、ねじにより、または蓋、および容器の噛合面を介して封止される。
多くのそのようなカップの蓋は、使用者が飲んでいないときに、蓋の開口を遮断する除去可能な部材を含むことがある。
しかし、多くのそのような部材は、除去可能なために部分的な漏出が生じることになり、運転中、またはスポーツ活動中など、特にカップが乱暴に扱われたり、落とされたりするときは、実質的に漏出を防止しない。
蓋の開口を実質的に封止し、漏出を防止することができる除去可能な部材を含む他の解決法もあるが、これらの蓋は、通常、例えばゴム、またはねじにより係合する封止などの開閉が困難で、時間がかかる封止装置を含む。
【発明の開示】
【発明が解決しようとする課題】
【０００５】
したがって、製造が簡単で、実質的に漏出を防止し、封止位置と開封位置の間を選択的、かつ迅速に操作可能な容器を封止する装置、および方法が必要となる。
【課題を解決するための手段】
【０００６】
一実施形態によれば、携帯可能な飲料用の容器を手動で開閉するために該容器と共に使用される、磁気的に飲料容器の蓋を封止する装置が、前記容器と封止的に係合可能な本体であって、第１および第２の固定磁石を備え、液体が前記容器の内部と周囲の環境の間を出入りできるように開設されている開口を有し、前記開口は前記第１の固定磁石の近傍にあり、前記第２の固定磁石は前記開口から離隔した位置にある本体と、本体の中の前記第１または第２の固定磁石に磁気的に引付けられる金属製のボールであって、前記ボールが前記開口を封止する本体上の第１の位置と、前記ボールが前記第１の位置から離隔して前記開口を開封する本体上の第２の位置との間を前記本体の一部に沿って手動で回転、および／または摺動して移動可能であるボールと、を有し、前記第１の固定磁石が本体上の第１の位置に設けられ、前記第２の固定磁石が本体上の第２の位置に設けられ、前記１の固定磁石が前記ボールを前記第１の位置に保持したまま前記開口を封止するとともに、前記第２の固定磁石が前記ボールを前記第２の位置に保持したまま前記開口を開封して容器内の液体を流出可能とする。
【０００７】
別の実施形態によれば、携帯可能な飲料用の容器を手動で開閉するために該容器と共に使用される、磁気的に飲料容器の蓋を封止する装置が、前記容器と封止的に係合可能な本体であって、第１および第２の固定磁石を備え、液体が前記容器の内部と周囲の環境の間を出入りできるように開設されている開口を有し、前記第１の固定磁石は前記開口の周囲を少なくとも部分的に取り囲み、前記第２の固定磁石は前記開口部から離隔した位置にある本体と、本体の中の前記第１または第２の固定磁石に磁気的に引付けられる金属製のボールであって、前記ボールが前記開口を封止する本体上の第１の位置と、前記ボールが前記第１の位置から離隔して前記開口を開封する本体上の第２の位置に選択的に位置決め可能であるボールと、を有し、前記ボールが第１の位置と第２の位置の間を少なくとも前記本体の一部に沿って回転可能であり、前記第１の固定磁石が前記ボールを前記第１の位置に保持し、前記第２の固定磁石が前記ボールを前記第２の位置に保持する。
【０００８】
別の実施形態によれば、前記本体が、前記ボールを前記第１の位置と前記第２の位置の間を回転させるのを促進する細長い窪みを備え、前記細長い窪みの一対の壁が、前記細長い窪みの基部の上に、その間を前記ボールが行き来できるよう十分に離れて突出しており、前記突出する壁の末端部の間の隙間は、使用者が前記ボールに触れて前記第１の位置と第２の位置の間を移動させることできるだけの十分な幅があり、前記壁は前記ボールが前記装置からはずれることを防止する。
【０００９】
さらに別の実施形態によれば、容器が、携帯可能で、液体を保持するように適合されている内部を有する本体と、容器と封止的に係合可能な蓋であって、第１および第２の固定磁石を備え、液体が前記容器の前記内部と周囲の環境の間を出入りできるように開設されている開口を有し、前記開口は前記第１の固定磁石の近傍に形成してあり、前記第２の固定磁石は前記開口部から離隔位置にある蓋と、前記蓋の中の第１または第２の固定磁石に磁気的に引付けられる金属製のボールであって、前記ボールが前記開口を封止する蓋上の第１の位置と、前記ボールが前記第１の位置から離隔して前記開口を開封する蓋上の第２の位置に選択的に位置決め可能であるボールと、を有し、前記ボールが第１の位置と第２の位置の間を少なくとも前記蓋の一部に沿って、選択的に回転可能であり、前記前記第１の固定磁石が前記ボールを前記第１の位置に保持したまま前記開口を封止し、前記第２の固定磁石が前記ボールを前記第２の位置に保持したまま前記開口を開封して容器内の液体を流出可能とする。
【発明を実施するための最良の形態】
【００１０】
以下の詳細な説明は、飲料容器に蓋をする装置および容器に向けたものである。図示・説明された実施形態により、個人は、選択的に飲料容器を封止して、液体がそこからこぼれるのを防ぎ、そこから飲むために飲料容器を開封することができる。開閉の両動作は、飲料容器の蓋上の各位置の間をボール、または同様の部材を単に回転させることにより達成される。
以下の詳細な説明、および添付の図面は、通常の各当業者が本発明の実施形態を作成し、使用することができるように十分な情報を提供するように意図されたものである。
【００１１】
この明細書全体を通して、「一実施形態」または「ある実施形態」という言及は、その実施形態に関連して説明される具体的な特徴、構成、または特性が、開示された方法および構成の少なくとも１つの実施形態の中に含まれることを意味する。したがって、この明細書全体を通して様々な箇所で「一実施形態」または「ある実施形態」という語句の出現は、必ずしも同じ実施形態を言及しているわけではない。さらに、具体的な特徴、構成、または特性を、１つまたは複数の実施形態における任意の適切な方法で、組み合わせることができる。
【実施例】
【００１２】
図１Ａは、１つの具体的実施形態による飲料容器の蓋を磁気的に封止する装置１００を示し、この装置は、液体が容器に流入、および流出するように適合された開口１０４を有する本体１０２を備える。
装置１００は、さらに、第１の位置１１０、および第２の位置１１２の間を選択的に移動することができる少なくとも１つのボール１０８を有する磁気性閉鎖部１０６を備える。この閉鎖部１０６が、第１の位置１１０にあるときは少なくとも開口１０４の一部を露出し、第２の位置１１２にあるときは少なくとも実質的に開口１０４をふさいで磁気的に蓋を封止し、液体の流れを防止する。
【００１３】
磁気性閉鎖部１０６は、さらに、本体１０２、および／または、その中間部材１１６の第１の面１１８、および／または第２の面１２０（図１Ｂ）の少なくとも一部の上に配置された第１の磁性である第１の固定磁石１１４ａを少なくとも備えることができる。
ボール１０８は、第１の極性の反対側の第２の極性である第２の固定磁石１１４ｂ、或いは例えば、鉄、ニッケル、他の強磁性金属、または第１の固定磁石１１４ａに引き付けられる材料などの磁気的に誘導される金属性材料を備えることができる。
使用者は、ボール１０８にわずかな力を加えるだけで、選択的に第１の位置１１０、および第２の位置１１２にそれぞれ移動させることができる。
ボール１０８が、第１の位置１１０の方へ移動するとき、第１の固定磁石１１４ａは、ボール１０８を磁気的に引き付け、ボール１０８を手動、および／または機械的補助なしに、第１の位置１１０に維持し、開口１０４の少なくとも一部を露出して、液体を流入できるようにする。
ボール１０８が、第２の位置１１２の方へ移動するとき、第２の固定磁石１１４ｂは、ボール１０８を磁気的に引き付け、ボール１０８を、手動、および／または機械的補助なしに、第２の位置に保持して、開口１０４を封止的にふさぐ。
【００１４】
図１Ｂに示すように、ボール１０８は、中間部材１１６の第１の面１１８上に配置されることができる。
第１の固定磁石１１４ａは、中間部材１１６の第１の面１１８、および／または第２の面１２０上に配置されることができる。
中間部材１１６、またはその第１の面１１８、および第２の面１２０の少なくとも１つは、第１の固定磁石１１４ａが、ボール１０８と磁気的に相互作用可能な寸法、および／または材料を備えることができる。
例えば、中間部材１１６は、第１の固定磁石１１４ａが、ボール１０８と磁気的に相互作用可能なプラスチック、シリコン、弾性素材、薄膜、またはホイル、或いは他の任意の適切な材料を備えることができる。
【００１５】
図２Ａおよび図２Ｂに示すように、別の実施形態では、飲料容器の蓋を磁気的に封止する装置２００は、第１の窪み２２２（図４Ａ参照）を含むことができる。例えば、装置２００の本体２０２の中間部材２１６の第１の面２１８の少なくとも一部に形成される窪みを備えてもよい。
第１の窪み２２２は、ボール２０８の少なくとも一部の形状にほぼ適合させることができる。
ボール２０８を、第１の位置２１０と第２の位置２１２の間に導き、ボール２０８の効率的な動作を促進し、使用者が第１の位置２１０と第２の位置２１２の間を切り換えるのがより簡単になり、時間がかからなくなる。
いくつかの実施形態では、第１の窪み２２２は、第１の位置２１０から第２の位置２１２まで延在することができる。
いくつかの実施形態では、第１の窪み２２２は、第１の窪み２２２の一部に形成され、かつ第２の位置２１２近傍の開口２０４の範囲を少なくとも部分的に制限する任意の第２の窪み２２４を備えることができる。
第２の窪み２２４の上方部分は、内側に突出して、ボール２０８が蓋からはずれることを防止し、使用者が、ボール２０８を、例えば親指で開位置と閉位置の間をころがすことができるように、ボール２０８に十分な通路を提供する。
【００１６】
いくつかの実施形態では、第２の窪み２２４は、第１の窪み２２２、および／または本体２０２の中間部材２１６の第１の面２１８に開く第１の末端部２２６、ならびに開口２０４に開く第２の末端部２２８を有する円錐切頭形状を備えることができる。
更に別の実施形態では、第２の窪み２２４は、開口２０４を形成するか、および／または、開口２０４であることができる。
【００１７】
いずれかの実施形態では、ボール２０８は、審美的および／または機能性品質を持つことができる任意の形状を備えてもよい。
例えば、ボール２０８は、図２Ａ、および図４Ａに示すように球形状を備えることができる。
ボール２０８は、第１の位置２１０と第２の位置２１２の間を回転、および／または、摺動して移動する。
図２Ｂに示すように、いくつかの実施形態では、第１の固定磁石２１４ａの少なくとも一部が、中間部材２１６を形成することができる繰型内に配置されることができる。
【００１８】
別の実施形態では、図３に示すように、飲料容器の蓋を磁気的に封止する装置３００が、平行四辺形、および／または矩形形状を有するボール３０８を備えることができる。
ボール３０８は、摺動して第１の位置３１０と第２の位置３１２の間を移動して、開口３０４を少なくとも部分的に露出し、封止的にふさぐ。
少なくとも１つの固定磁石３１４ａ，３１４ｂは、ボール３０８を第１の位置３１０、および第２の位置３１２に、手動または機械的補助なしに保持することができる。
【００１９】
ボール１０８、２０８、および３０８は、楕円、円筒形、円錐切頭形、またはそのいずれかの組み合わせ、或いは他のいずれかの適切な形状などを備えることができる。
いくつかの実施形態では、装置３００が、複数のボール３０８を備えることができる。その部材３０８は、同一の形状、および／または材料を備えることができ、或いは異なる形状、および／または材料を備えることができる。
【００２０】
図４Ａに示すように、上述の装置２００は、任意選択の第１の部分２３０を備えることができる。前記第１の部分２３０は本体２０２の中間部材２１６から第１の方向に延在し、ボール２０８が、第１の位置２１０にあるとき、液体の流れを移送するように適合されている。
さらに、装置２００は、第２の部分２３２を備えることができる。前記第２の部分２３２それは第１の方向の反対側の第２の方向に延在し、容器４０（図４Ｂ）と共にその周辺部２３４の周りに液体密閉封止を形成するように適合されており、中間部材２１６が、第１の部分２３０、および第２の部分２３２の間に挿入されている。
例えば、第２の部分２３２は、周辺部２３４の少なくとも一部の周りに延在する少なくとも１つの突出部２３６を備えることができる。
例えば、いくつかの実施形態では、突出部２３６は、容器４０の長手方向の延在部に実質的に垂直であることができる平面に実質的に平行な軸に関してある角度で延在することができる。
したがって、突出部２３６は、周辺部２３４に隣接し、液体密閉封止を形成するように、ねじにより突出部２３６を受ける少なくとも１つの凹部を有する容器４０の少なくとも一部をねじによって係合することができる。
加えて、または、別の方法として、突出部２３６は、例えば、シリコン、および／またはプラスチックなどの弾力材を含むことができる。容器４０の一部は、周辺部２３４を捕捉して受け、突出部２３６に嵌合する干渉を形成して、液体密閉封止を形成する。液体密閉封止に嵌合する干渉を形成する別の実施形態では、角度は実質的に０度であることができる。
【００２１】
周辺部２３４、および／または突出部２３６の構成は、既存の容器に液体密閉封止を形成するように適合されることができる。
使用者は、例えば、標準の小、中、大、および／または低、高、特大、および／または穴が形成されたカップおよび／またはマグなどの様々な飲料容器と共に装置２００を使用することができる。
図４Ｂは、周辺部２３４（図４Ａ）に隣接する容器４０の一部に捕捉して受けられる第２の部分２３２を示す。
【００２２】
図５に示すように、飲料容器５０（図５Ｂ）の蓋を磁気的に封止する装置４００の更に別の実施形態は、シリコン、可撓性プラスチック、伸縮素材、および／または天然または合成ゴム、および／またはその組み合わせなどの弾力性、可撓性、弾性、および／または伸縮性の材料を含む第２の部分４３２を備えることができ、容器５０の開放端の周辺部を捕捉して受け、液体密閉封止を形成する。
【００２３】
図６に示す別の実施形態では、飲料容器の蓋を磁気的に封止する装置５００は、ボール５０８を備えることができる。
その部材５０８は、本体５０２の中間部材５１６の少なくとも一部と磁気的に係合し、ボール５０８が、開口５０４から少なくとも部分的に離隔されている第１の位置５１０（図６Ｂ）と、ボール５０８が、液体が開口５０４を通って通過することを防止するように開口５０４の少なくとも一部に設置されることができる第２の位置との間に、例えば、回転、および／または摺動して選択的に移動可能である。
図６Ｂに示すように、中間部材５１６の少なくとも一部、装置５００の本体５０２、および／またはボール５０８は、被覆材５４０、例えばシリコン、および／またはプラスチックの外側被覆、または他の適切な被覆材で被覆されることができ、ボール５０８と開口５０４間の封止を促進し、および／または、例えば、輪郭、チャネル、または他の特徴などの少なくとも１つの特徴５４２を提供して、ボール５０８を第１の位置５１０と第２の位置５１２の間に案内する。
１つの特徴、および／または複数の特徴５４２は、移動止め、窪み、凹所、縁石、溝、および／または他のいずれかの特徴を含むことができ、それは、ボール５０８を、手動的、および／または機械的補助なしに第１の位置５１０に保持し、および／またはボール５０８の第１の位置５１０と第２の位置５１２間の移動を促進する。
【００２４】
装置５００は、ボール５０８を第１の位置５１０および第２の位置５１２の両方に保持するための窪み、凹所、または開口を有する少なくとも１つの第１の固定磁石５１４、ａおよび／または、ボール５０８を第１の位置５１０および第２の位置５１２にまとめて保持するように、本体５０２全体を通して配置された複数の固定磁石５１４ａ，５１４ｂを備えることができる。
開口５０４、および／または、いくつかの実施形態で、開口５０４を形成することができる第１の固定磁石５１４ａは、円錐切頭形状などの、先細の周辺面５４４を有する円筒形状を備えることができ、ボール５０８が開口５０４、および／または第１の固定磁石５１４ａの開口を通って、容器の内部への通過を防止することをさらに促進する。
【００２５】
装置１００、２００、３００、４００、および５００は、主に飲料容器の蓋の封止と関連して説明されてきたが、この開示を検討した通常の当業者は、装置１００、２００、３００、４００、および５００が、茶、コーヒー、ソフトドリンク、スポーツドリンク、バブル・ティー、フローズンドリンク、シェイク、または他の任意の液体などの液体、または流体、および、ハーブ、挽いたコーヒ豆などの挽いた物品、塩、こしょうまたは他の任意の固体を貯蔵し、選択的に分注する任意の容器に使用できることを理解するであろう。
【００２６】
本明細書中で言及する上記のすべての米国特許、米国特許出願公報、米国特許出願、外国特許、外国特許出願、および非特許出願が、本明細書に参照としてその全体が組み込まれている。
【００２７】
前述のように本発明の具体的な実施形態が、本明細書で図示の目的のために説明されてきたが、本発明の精神および範囲から離れることなく、様々な修正が行われてもよい。したがって、本発明は、特許請求の範囲の請求項によってのみ限定される。
【図面の簡単な説明】
【００２８】
【図１Ａ】一実施形態による、飲料容器の蓋を磁気的に封止する装置の上平面図である。
【図１Ｂ】１Ｂ―１Ｂ部を横切って見た図１Ａの装置の断面図である。
【図２Ａ】別の実施形態による、飲料容器の蓋を磁気的に封止する装置の上平面図である。
【図２Ｂ】２Ｂ―２Ｂ部を横切って見た図２Ａの装置の断面図である。
【図３】別の実施形態による、飲料容器の蓋を磁気的に封止する装置の上平面図である。
【図４Ａ】図２Ａの装置の等角図である。
【図４Ｂ】容器と係合する図４Ａの装置の側面図である。
【図５Ａ】更に別の実施形態による、飲料容器の蓋を磁気的に封止する装置の底面等角図である。
【図５Ｂ】容器と係合する図５Ａの装置の側面図である。
【図６Ａ】別の実施形態による、飲料容器の蓋を磁気的に封止する装置の上平面図である。
【図６Ｂ】６Ｂ―６Ｂ部を横切って見た図６Ａの装置の断面図である。
【図１Ａ】
0005049968.tif 000002
【図１Ｂ】
0005049968.tif 000003
【図２Ａ】
0005049968.tif 000004
【図２Ｂ】
0005049968.tif 000005
【図３】
0005049968.tif 000006
【図４Ａ】
0005049968.tif 000007
【図４Ｂ】
0005049968.tif 000008
【図５Ａ】
0005049968.tif 000009
【図５Ｂ】
0005049968.tif 000010
【図６Ａ】
0005049968.tif 000011
【図６Ｂ】
0005049968.tif 000012